(57)【要約】  安定性・使い勝手の良好なハンズフリー型の傘の提供。本発明に係る傘は、一端を傘本体（１０）に連結し、他の一端を互いに連結した２本の支持骨（２０）を含んで構成される支持構造と少なくとも１段以上の前記支持骨（２０）の伸縮機構と、開傘時に、前記支持骨（２０）の伸縮機構の伸長状態を保持した状態でロック可能なロック機構（２１Ａ）と、を備える。
2018084181.tif 000002
【特許請求の範囲】
【請求項１】
一端を傘本体に連結し、他の一端を互いに連結した２本の支持骨を含んで構成される支持構造と、少なくとも１段以上の前記支持骨の伸縮機構と、  開傘時に、前記支持骨の伸縮機構の伸長状態を保持した状態でロック可能なロック機構と、を備えること、  を特徴とする傘。
【請求項２】
前記支持骨の伸縮機構は、少なくとも１段以上の、内側部材と、前記内側部材を収納可能な外側部材とにより構成され、  前記ロック機構は、前記外側部材に設けられた孔に、前記内側部材側に設けられた凸部が嵌合することで前記内側部材が前記外側部材から露出した状態に保持するものであり、  前記凸部を同時に非嵌合状態とすることで、前記２本の支持骨を同時に短縮可能に構成されていること、  を特徴とする請求項１の傘。
【請求項３】
前記凸部は、ばねによって前記内側部材の外周方向に付勢されたピンによって構成され、  前記外側部材の外周上を長手方向に移動可能なスライダーをスライドさせることにより、前記ピンを同時に押し込むことで、前記２本の支持骨を同時に短縮可能に構成されている請求項２の傘。
【請求項４】
前記スライダーは傘の親骨とリンク部材で連結されており、閉傘操作を行うことで、前記スライダーが、前記ピンを同時に押し込むよう構成されている請求項３の傘。
【請求項５】
前記スライダーは互いに連結されており、所定の解除動作により前記スライダーが同時にスライドすることで、前記ピンが同時に押し込まれるよう構成されている請求項３の傘。
【請求項６】
前記スライダーは当該スライダーが配置された支持骨と異なる支持骨とリンク部材で連結されており、閉傘操作を行うことで、前記スライダーが移動し、前記ピンを同時に押し込むよう構成されている請求項３の傘。
【請求項７】
前記凸部は、ばねによって前記内側部材の外周方向に付勢されたピンによって構成され、  前記ピンは、前回傘の支持骨の互いに正対する位置に配置されており、  閉傘操作の過程で接近したピン同士を、さらに閉傘操作を続けることで、同時に押し込むロック解除部材が配置されている請求項２の傘。
【請求項８】
前記支持骨の伸縮機構は、少なくとも１段以上の、内側部材と、前記内側部材を収納可能な外側部材とにより構成され、  前記ロック機構は、前記支持骨の伸縮機構を伸ばし、かつ、傘を開いた状態にすることで、前記内側部材又は前記外側部材のうちの傘本体側の組が離間する方向に押し広げられる結果、前記内側部材と前記外側部材とに設けられた嵌合部が嵌合し、ロックされるよう構成されている請求項１の傘。
【請求項９】
前記支持骨は、弾性部材によって構成され、  傘を開いた状態から閉じた状態にすることで、前記内側部材又は前記外側部材のうちの傘本体側の組を離間する方向に押し広げる力がかからなくなるとともに、内側に反り合うことにより、前記ロックが解除される請求項８の傘。
【請求項１０】
上ろくろが中空構造となっており、  前記中空の上ろくろに、嵌合棒が取り付けられた下ろくろを挿入した開傘状態から、前記嵌合棒が取り付けられた下ろくろを下方に移動させて傘を閉じることが可能であり、  複数の受骨にそれぞれ連結された補助骨群によって支持され、傘の開閉に伴う前記下ろくろにの移動をガイドする第３のろくろを備えた請求項１から９いずれか一の傘。
【請求項１１】
前記支持骨の親骨との連結端側に、  傘を開閉する過程において、前記親骨を支持する受骨の移動を誘導する溝が設けられている  請求項１から１０いずれか一の傘。
【発明の詳細な説明】
【技術分野】
【０００１】  ［関連出願についての記載］  本発明は、日本国特許出願：特願２０１６−２１５５９０号（２０１６年１１月２日出願）に基づくものであり、同出願の全記載内容は引用をもって本書に組み込み記載されているものとする。  本発明は、傘に関し、特に、傘使用者の両手を自由にできるようにした傘に関する。
【背景技術】
【０００２】  傘をさしながら両手で作業をしたいときや、自転車に乗るときやベビーカーを押す際に手がふさがれる不便を解消するため、従来より、装着器具を用いて身体や自転車等に装着可能とした傘や傘の支持用具が各種提案されている。このうちの、傘使用時に、傘の中心に使用者が位置できるようにした傘に関して、以下の特許文献が挙げられる。【０００３】  例えば、特開２０１０−５３５５号公報や特開２０００−１３９５３３号公報には、左右に二股状に開くことのできる中軸（中棒）を有し、身体に装着できるようにした傘が開示されている。【０００４】  さらに特開２００７−５４１０５号公報及び国際公開第２０１２／０２３４６０号には、本出願人による、身体装着型の傘が開示されている。
【先行技術文献】
【特許文献】
【０００５】
【特許文献１】特開２０１０−５３５５号公報
【特許文献２】特開２０００−１３９５３３号公報
【特許文献３】特開２００７−５４１０５号公報
【特許文献４】国際公開第２０１２／０２３４６０号
【発明の概要】
【発明が解決しようとする課題】
【０００６】  特許文献１、２の構成の傘の場合、左右の中棒（中軸）が独立して傘の上部構造（下ロクロ（ｌｏｗｅｒ  ｒｉｎｇ）より上の部分、「ｕｐｐｅｒ  ｆｒａｍｅ」とも言う。）を支持する構成となる。このため、左右の中棒（中軸）を太くし、かつ、可動部分には頑丈なヒンジを使用することが必要となり、傘自体の重量がかさんでしまう上、傘の重心が高くなってしまうという問題点がある。【０００７】  特許文献３の傘では都合４本の支持骨を配置し、さらに、各支持骨を下ロクロとリンクで連結することで、必要な剛性を確保しているが、構造が複雑になっている。特許文献４の傘は、使用者の胸の位置に傘の下端が来る構成となっているため、ベルトをきつく締めないと傘が前後に揺れてしまうという問題点がある。【０００８】  本発明は、上記した事情に鑑みてなされたものであって、その目的とするところは、使用者の身体等に装着可能とするとともに、簡素な構成で、使用時の傘の安定性及び携帯性を向上できる傘を提供することにある。
【課題を解決するための手段】
【０００９】  本発明の第１の視点によれば、一端を傘本体に連結し、他の一端を互いに連結した２本の支持骨を含んで構成される支持構造と、少なくとも１段以上の前記支持骨の伸縮機構と、開傘時に、前記支持骨の伸縮機構の伸長状態を保持した状態でロック可能なロック機構と、を備えた傘が提供される。
【発明の効果】
【００１０】  本発明によれば、安定性・使い勝手の良好なハンズフリー型の傘が得られる。その理由は、２本の支持骨の下端同士を連結させたトラス構造を採用しつつ、この支持骨を伸縮可能として、使用時（開傘時）において伸長させて、前後に揺れにくい形で身体に装着できるようにし、かつ閉傘時に支持骨が縮むことで持ち運び性を向上できる構成したことにある。
【図面の簡単な説明】
【００１１】
【図１】本発明の一実施形態の傘の正面図（開傘状態）である。
【図２】本発明の第１の実施形態の傘の正面図（開傘状態）である。
【図３】図２の指示骨と、受骨の交差部の構成例を示す図である。
【図４】本発明の第１の実施形態の傘を閉じた状態を示す図である。
【図５】本発明の第１の実施形態の傘のロック機構（ロック状態）の断面図である。
【図６】本発明の第１の実施形態の傘のロック機構（ロック解除状態）の断面図である。
【図７】本発明の第２の実施形態の傘の正面図（閉傘状態）である。
【図８】本発明の第２の実施形態の傘の伸縮機構のロックを解除した状態を示す図である。
【図９】本発明の第２の実施形態の傘のロック機構（ロック状態）の断面図である。
【図１０】本発明の第２の実施形態の傘のロック機構（ロック解除状態）の断面図である。
【図１１】本発明の第３の実施形態の傘の正面図（開傘状態）である。
【図１２】本発明の第３の実施形態の傘を閉じた状態を示す図である。
【図１３】本発明の第３の実施形態の傘のロック機構（ロック状態）の断面図である。
【図１４】本発明の第３の実施形態の傘のロック機構（ロック解除状態）の断面図である。
【図１５】本発明の第４の実施形態の傘の正面図（開傘状態）である。
【図１６】本発明の第４の実施形態の傘のロック機構（ロック状態）の断面図である。
【図１７】本発明の第４の実施形態の傘を閉じた状態を示す図である。
【図１８】本発明の第４の実施形態の傘のロック機構（ロック解除状態）の断面図である。
【図１９】本発明の第４の実施形態の傘を縮めた状態を示す図である。
【図２０】本発明の第４の実施形態の傘のベルト繰り出し機構を示す図である。
【図２１】本発明の第４の実施形態の傘の使用態様を示す図である。
【図２２】本発明の第４の実施形態の傘の別の使用態様を示す図である。
【図２３】本発明の第４の実施形態の傘の別の使用態様を示す図である。
【図２４】本発明の第５の実施形態の傘の正面図（開傘状態）である。
【図２５】本発明の第５の実施形態の傘を閉じた状態を示す図である。
【図２６】本発明の第６の実施形態の傘の正面図（開傘状態）である。
【図２７】本発明の第６の実施形態の傘のロック機構（ロック状態）の断面図である。
【図２８】本発明の第６の実施形態の傘のロック機構のロック解除動作を説明するための図である。
【図２９】本発明の第６の実施形態の傘のロック機構（ロック解除状態）の断面図である。
【図３０】本発明の第６の実施形態の傘の変形実施形態を示す図である。
【発明を実施するための形態】
【００１２】  はじめに本発明の概要を説明する。本発明は、その一実施形態において、図１に示すように、一端を傘本体１０に連結し、他の一端を互いに連結した２本の支持骨を含んで構成される支持構造（支持骨）２０Ａと、少なくとも１段以上の前記支持骨の伸縮機構と、開傘時に、前記支持骨の伸縮機構の伸長状態を保持した状態でロック可能なロック機構２１Ａと、を備えた傘が提供される。
【００１３】  上記本発明の傘によれば、２本の支持骨の下端同士を連結させたトラス構造を採用しつつ、この支持骨を伸縮可能として、使用時（開傘時）において伸長させて、前後に揺れにくい形で身体に装着できるようになる。結果として、安定性・使い勝手の良好なハンズフリー型の傘が得られる。
【００１４】  さらに、本発明の傘によれば上述のとおり伸縮機構が備えられているので、傘を閉じた状態、あるいは、傘を閉じる動作と連携して、前記ロック機構２１Ａを解除することで、傘を縮めることができるので、携帯性が損なわれることもない。
【００１５】［第１の実施形態］  続いて、本発明の第１の実施形態について図面を参照して詳細に説明する。図２は、本発明の一実施形態の傘の傘生地等を省略した正面図（開傘状態）である。図２を参照すると、傘本体１０と、支持骨２０と、ロック解除レバー２２とを備えた傘の構成が示されている。
【００１６】  傘本体１０は、例えば、特許文献１、４に記載された中棒を省略ないし短縮したタイプの傘と同等のものを使用できる。
【００１７】  支持骨２０は、テレスコピック状に伸縮可能な２本の骨（内側部材と、前記内側部材を収納可能な外側部材）によって構成され、それぞれの骨の上端は、傘本体１０の親骨のうち傘を支持するのに適した２本（例えば、傘の前後方向の仮想線に対して、線対象位置にある２本の親骨）に連結される。また、支持骨２０を構成する骨の下端は、互いに連結されている。従って、支持骨２０は、正面から見て略Ｖ字状の形態となる。
【００１８】  支持骨２０は、ピン２１（凸部）を押しこむことによってロックを解除可能となっており、また、所定の伸長状態にすることで、支持骨を構成する外筒に設けられた孔にピン２１が嵌り、内側部材が外側部材から露出した伸長状態を維持可能（ロック状態）となっている。
【００１９】  ロック解除レバー２２は、その一端が傘本体１０の親骨のうち、前記支持骨が連結された親骨に連結され。ロック解除レバー２２の下端は、前記支持骨２０の外周を囲堯した状態で、支持骨２０の外周上をその長手方向にスライド可能な環状部（スライダー）が形成されている。従って、ロック解除レバー２２は、一種のリンク部材として機能し、親骨の動きに従い、環状部（スライダー）を動作させる。
【００２０】  図３は、図２の支持骨２０と、傘本体の受骨との交差部１１の構成例（但し、ロック解除レバー２２は省略）を示す図である。図３の例では、支持骨２０の上側部材２０１の親骨１０１との連結部には溝２０１ａが設けられ、傘の開閉に応じて上下動する受骨１０２と干渉しないように構成されている。また、図３の支持骨２０は、溝２０１ａで受骨１０２を挟み込む構成となっており、傘を開閉する動作の過程において、受骨１０２が溝２０１ａによって誘導（ガイド）される。これにより、傘上部が支持骨２０に対してぐらつくことを抑制することが可能となっている。なお、図３の例は、あくまで、好ましい一例を示したものであり、その他種々の形態を採ることができる。例えば、支持骨２０と親骨１０１との連結箇所をより外側、例えば、受骨１０２との連結点に移動し、ロック解除レバー２２と親骨１０１との連結点をさらにその外側に移動させることで、支持骨２０と、受骨との干渉を回避することができる。
【００２１】  図４は本発明の第１の実施形態の傘を閉じた状態を示す図である。第１の実施形態の傘を閉じると、親骨１０１が回動することにより、支持骨２０と、ロック解除レバー２２とがそれぞれ、図の下方に移動する。支持骨２０と親骨の連結点よりもロック解除レバー２２と親骨の連結点の方が外側に配置されているため、支持骨２０よりもロック解除レバー２２の方が相対的に大きく図の下方に移動する。結果として、ロック解除レバー２２の環状部が支持骨２０上を、図の下方に移動し、支持骨２０のピン２１が内側に押し込まれ、支持骨２０の伸縮機構のロックが解除される。
【００２２】  なお、図４に示すように、本実施形態に係る傘は、上ろくろ（ｕｐｐｅｒ  ｒｉｎｇ）５１が石突きカバー（ｆｅｒｒｕｌｅ  ｃｏｖｅｒ）を兼ね、中空となっており、図２の傘を完全に開いた状態においては、下ろくろ５２に取り付けられた嵌合棒５０が第３のろくろ５３を貫通し、上ろくろ５１に挿入された状態となっている。また、図２の位置まで下ろくろ５２を移動させると、親骨が閉じようとする力が、受骨１０２を介して下ろくろ５２を上方に押し上げるため、傘を開いた状態が保持される。なお、傘を開いた状態の保持方法は、この方法に限られない、例えば、上ろくろ５１側にラッチ機構やプッシュロック機構を設け、ロック歯が付いた嵌合棒５０を差し込むことにより、上ろくろ５１側の係合部材に係合し、嵌合棒５０が把持、固定される構成等を用いることもできる。
【００２３】  また、本実施形態に係る傘は、上記嵌合棒５０を下方に引き抜いて傘を畳む構成となっている。下方に引き抜いた嵌合棒５０は、受骨１０２に連結された複数の補助骨１０３によって支持された第３のろくろ（ｔｈｉｒｄ  ｒｉｎｇ）５３によってガイドされる構成となっている。これにより、嵌合棒５０を確実に上ろくろ５１に挿入することができるようになり、傘の開閉が容易化される。
【００２４】  図５は、本発明の第１の実施形態の傘のロック機構（ロック状態）の断面図である。図５に示すように、支持骨２０のピン２１は、ドーム状の頭部と、板ばね部を有し、支持骨２０の外側（外周方向）に付勢されている。傘が閉じた状態から開いていき、開傘状態となると、ピン２１の前記頭部が支持骨２０側（外側部材）に設けられた孔から突出するため、支持骨２０は伸長状態に保持される。
【００２５】  逆に、傘を閉じると、前述のように、ロック解除レバー２２の環状部が下方に移動する結果、図６に示すように、ピン２１が支持骨２０の内側に押し込まれ、支持骨２０の外側部材と内側部材との係合が解除される。結果として、支持骨２０の内側部材を外側部材の内側に収納可能となり、支持骨２０全体が縮まることになる。
【００２６】  以上のように、本実施形態の傘によれば、傘を閉じる動作と、傘の支持骨２０の長さを短くする動作を連続して行うことが可能となる。その理由は、傘を閉じる動作と連係して動作し、左右の支持骨２０の伸縮機構を同時に解除するロック解除レバー２２を設けたことにある。また上記のように、支持骨２０を短くできるということは、伸長状態における支持骨２０の長さを長くとることができるということを意味する。これにより、傘を装着した使用時に、進行方向に対し、前後に揺れにくい傘を得ることができる（図２１〜図２３参照）。なお、図５の例では、板バネを用いて、ピン２１を付勢するものとして説明したが、ピン２１を付勢するとしては、コイルばね等のその他ばねや、その他の弾性体を用いることもできる。
【００２７】［第２の実施形態］  続いて、本発明の第２の実施形態について図面を参照して詳細に説明する。以下、本実施形態は、第１の実施形態のロック解除機構に変更を加えたものであり、その他の構成は第１の実施形態と同様である。以下、第２の実施形態について、第１の実施形態との相違点を中心に説明する。
【００２８】  図７は、本発明の第２の実施形態の傘の正面図（閉傘状態）である。第１の実施形態との相違点は、ロック解除レバー２２ａが親骨側ではなく、支持骨２０の外側部材（ユーザの手元側）の方に配置されている点である。
【００２９】  本実施形態のロック解除レバー２２ａは、支持骨２０の外周を囲堯した状態で、支持骨２０の長手方向にスライド可能な環状部（スライダー）と、この環状部の組みを同時に操作可能な取っ手２２１ａとによって構成されている。
【００３０】  本実施形態では、ロック解除レバー２２ａは、親骨と連結していないので、傘を閉じただけでは動作しない。ロックを解除する場合、図８に示すように、取っ手２２１ａを図の下方に引くことで（所定の解除動作）、２つの環状部が同時に下にスライドし、支持骨２０に設けられたピン（図示せず）を押し込む構成となっている。
【００３１】  図９は、本発明の第２の実施形態の傘のロック機構（ロック状態）の断面図である。図９に示すように、支持骨２０のピン２１は、やや丸みを持ったドーム状の頭部と、板バネ部を有し、支持骨２０の外側に付勢されている。ロック解除レバー２２ａが初期位置にある状態では、ピン２１の前記頭部が支持骨２０側（外側部材）に設けられた孔から突出するため、支持骨２０は伸長状態に保持される。
【００３２】  図１０に示すように、ロック解除レバー２２ａを下方側に移動させると、ロック解除レバー２２ａの環状部が下方に移動する結果、図１０に示すように、ピン２１が支持骨２０の内側に押し込まれ、支持骨２０の外側部材と内側部材との係合が解除される。結果として、支持骨２０の内側部材を外側部材の内側に収納可能となり、支持骨２０全体が縮まることになる。
【００３３】  以上のように、本実施形態の構成においても、伸長状態における支持骨２０の長さを長くとることができる。また、本実施形態においては、傘を閉じることによって、伸縮機構のロックが外れることは無いので、傘を閉じた状態で支持骨を下端を持って携行する際に、傘が伸縮してしまうこともないという利点がある。
【００３４】［第３の実施形態］  続いて、本発明の第３の実施形態について図面を参照して詳細に説明する。以下、本実施形態は、第１の実施形態のロック解除機構に変更を加えたものであり、その他の構成は第１の実施形態と同様である。以下、第３の実施形態について、第１の実施形態との相違点を中心に説明する。
【００３５】  図１１は、本発明の第３の実施形態の傘の正面図（開傘状態）である。第１の実施形態との相違点は、ロック解除レバー２２の代わりに、２本の支持骨２０の内側に向かい合う形で、ロック解除ボタン２２ｂが設けられている点である。
【００３６】  本実施形態におけるロック解除ボタン２２ｂは、独立して操作することも可能であるが、図１２に示すように傘を閉じ、ロック解除ボタン２２ｂ同士が対向した状態で、さらに支持骨２０同士を近づけて、ロック解除ボタンを作動させることで、支持骨２０の伸縮機構のロックを同時に解除可能となっている。即ち、ロック解除ボタン２２ｂは、閉傘操作の過程で接近したピン２１同士を、さらに閉傘操作を続けることで、同時に押し込むロック解除部材として機能する。
【００３７】  図１３は、本発明の第３の実施形態の傘のロック機構（ロック状態）の断面図である。図１３に示すように、支持骨２０のピン２１は、やや丸みを持ったドーム状の頭部と、板バネ部を有し、支持骨２０の外側に付勢されている。ロック解除ボタン２２ｂは、例えば、シリコンゴムなどの弾性部材によって構成され、図１３に示すように、ロック解除ボタン２２ｂを非操作状態に維持する傘状の頭部と、支持骨２０を貫通する楕円の孔が設けられた脚部とによって構成される。ロック解除ボタン２２ｂを操作していない状態では、ピン２１の前記頭部が支持骨２０側（外側部材）に設けられた孔から突出するため、支持骨２０は伸長状態に保持される。次に、ロック解除ボタン２２ｂの頭部を図１３の右側に押し込むと、ピン２１が押し込まれ、支持骨２０の伸縮機構のロックが解除される。
【００３８】  このようなロック解除ボタン２２ｂが設けられた支持骨２０同士を近づけると、図１４に示すように、対向するロック解除ボタン２２ｂの頭部同士が押される結果、２つの支持骨２０の伸縮機構のロックが同時に解除されることになる。
【００３９】  以上のように、本実施形態の構成においても、第１、第２の実施形態と同様に、伸長状態における支持骨２０の長さを長くとることができる。また、本実施形態も、傘を閉じることによって、直ちに、伸縮機構のロックが外れることは無いので、傘を閉じた状態で支持骨を下端を持って携行する際に、傘が伸縮してしまうこともないという利点がある。
【００４０】［第４の実施形態］  続いて、本発明の第４の実施形態について図面を参照して詳細に説明する。図１５は、本発明の第４の実施形態の傘の正面図（開傘状態）である。第１から第３の実施形態と大きく異なる点は、支持骨２０Ａが、カーボンやグラファイト等の高弾性の素材で構成されている点と、ロック／ロック解除機構２１ａが、この弾性部材で構成された支持骨２０Ａの反りを用いて実現されている点である。
【００４１】  図１６は、本発明の第４の実施形態の傘のロック機構（ロック状態）の断面図である。図１６の例では、外側部材２０Ｌと、内側部材２０Ｕとで構成された支持骨２０Ａが示されている。外側部材２０Ｌには、内側部材２０Ｕの端部突起２１１と係合可能な孔２１２が設けられている。図１５に示したように、傘を開くと、支持骨２０Ａのうちの傘本体側の組（内側部材２０Ｕ）が離間する方向に押し広げられる結果、弾性素材で構成された支持骨２０Ａが、外側に撓むことになる（図１５の一点鎖線と支持骨２０Ａ参照）。前記撓みにより、内側部材２０Ｕの端部突起２１１が内側に押しつけられる結果、内側部材２０Ｕの端部突起２１１が孔２１２の側壁部に当接した状態が保持され、支持骨２０Ａは伸長状態に保持される。
【００４２】  一方、図１７に示すように傘を閉じると、支持骨２０Ａの撓みがなくなり、かつ、内側に反り合った状態を取り得ることにより、内側部材２０Ｕの端部突起２１１と孔２１２との係合が解除される（図１８参照）。この結果、内側部材２０Ｕを外側部材２０Ｌ側に収納することが可能となり、図１９に示すように、支持骨２０Ａを縮めることが可能となる。
【００４３】  以上のように、本実施形態によれば、傘を開くだけで、２本の支持骨の伸縮機構を同時にロックすることが可能となり、ロック解除レバー２２、２２ａ、ロック解除ボタン２２ｂを操作することなしに、傘を閉じるだけでそのロックを同時に解除することが可能となる。
【００４４】  ここで、第４の実施形態の傘を例に、本発明に係る傘の使用方法について説明する。本発明に係る傘のその好ましい一実施形態において、図２０に示すように、支持骨の外側部材２０Ｌの下端に、ゼンマイ等による巻き取り式のベルト繰り出し機構２３を設けることができる。もちろん、図２０のベルト繰り出し機構に代えて、使用者のベルトやウエストポートのベルトに、本発明に係る傘の下端を連結する構成であってもよい。
【００４５】  図２１は、本発明の第４の実施形態の傘の使用態様を示す図である。図２１の例では、支持骨２０Ａの外側部材２０Ｌの上端に、首に掛けるための着脱式のネックストラップ２５が取り付けられ、かつ、外側部材２０Ｌの下端にはベルト２４を繰り出し可能なベルト繰り出し機構２３が取り付けられている。図２１の例では、使用者の腰に前述のベルト２４を巻きつけることにより、傘の下端を固定し、かつ、ネットストラップで上端を固定することが可能となっている。図２１からも明らかなように、本実施形態の傘は、ハンズフリーで使用可能であり、しかも使用者の肩等の上半身を拘束しない状態で使用することができる。
【００４６】  図２２は、本発明の第４の実施形態の傘の別の使用態様を示す図である。図２２の例では、前述のネックストラップ２５の代わりに、使用者のリュックサックやザックに取付可能なベルト２５ａが取り付けられている。図２２の例においても、使用者の腰に前述のベルト２４を巻きつけることにより、傘の下端を固定し、かつ、ベルト２５ａで傘の上端を固定することが可能となっている。図２２からも明らかなように、本実施形態の傘も、ハンズフリーで使用可能であり、しかも使用者の肩等を必要以上に拘束しない状態で使用することができる。
【００４７】  図２３は、本発明の第４の実施形態の傘の別の使用態様を示す図である。図２３の例では、ベルト２４を繰り出して、使用者の背中から肩に回し、外側部材２０Ｌの上端に固定して使用する状態を示している。以上のように、本実施形態の傘は、前述のネックストラップ２５やベルト２５ａなしで使用可能な態様とすることもできる。
【００４８】［第５の実施形態］  続いて、本発明の第５の実施形態について図面を参照して詳細に説明する。第５の実施形態は、第２の実施形態のロック解除機構に変更を加えたものであり、その他の構成は第２の実施形態と同様である。以下、第５の実施形態について、第２の実施形態との相違点を中心に説明する。
【００４９】  図２４は、本発明の第５の実施形態の傘の正面図（開傘状態）である。第２の実施形態との相違点は、ロック解除レバー２２ｃの一端が、２本の支持骨２０のうちの一方に回動自在に取りつけられ、かつ、ロック解除レバー２２ｃの他の一端に、２本の支持骨２０のうちの他の一方の外周を囲堯した状態で、スライド可能な環状部（スライダー）が設けられている点である。環状部（スライダー）が当該環状部（スライダー）が配置された支持骨と異なる支持骨とリンク部材で連結された構成となっている。
【００５０】  本実施形態では、傘を閉じ始めると、支持骨２０の動きと合わせて、ロック解除レバー２２ｃの環状部が、支持骨２０上を図２４の上側に移動することになる。最終的に傘を閉じると、図２５に示すように、支持骨２０に設けられたピン２１を押し込み、ロックが解除される。
【００５１】  以上のように、本実施形態のように、ロック解除レバーを親骨と連結しない構成においても、傘を閉じる動作と、傘の支持骨２０の伸縮機構のロックを外す動作をワンアクションで行うことが可能となる。
【００５２】［第６の実施形態］  続いて、本発明の第６の実施形態について図面を参照して詳細に説明する。第６の実施形態は、支持骨２０の素材として高弾性の素材を使用せずとも、第４の実施形態と同等の操作性が得られるようにしたものである。以下、第１〜第５の実施形態との相違点を中心に説明する。
【００５３】  図２６は、本発明の第６の実施形態の傘の正面図（開傘状態）である。第１〜第５の実施形態との外観状の相違点は、支持骨２０Ｂの断面が矩形状となっている点と、支持骨２０Ｂの外側部材２０Ｌの一端に、支持骨２０Ｂの外側方向への開き角度を規制する帯状部材２６が取り付けられている点と、支持骨２０Ｂの外側部材２０Ｌに、内側部材２０Ｕの下端に設けられたピンの移動をガイドする溝２９が設けられている点である。
【００５４】  図２７は、本発明の第６の実施形態の傘のロック機構（ロック状態）の断面図である。本実施形態の支持骨２０Ｂの外側部材２０Ｌの一端の外側面に、開口部２７が設けられている。図２７に示されたとおり、支持骨２０Ｂの内側部材２０Ｕには、支持骨２０Ｂの外側部材２０Ｌに設けられた溝（レール）２９によってガイドされるピン２８が設けられている。支持骨２０Ｂの外側部材２０Ｌに設けられた溝２９に沿って支持骨２０Ｂの内側部材２０Ｕを引き出していくと、溝２９の上端にピン２８が当接し、引き出し長が規制される。その位置で、傘を開くと、ピン２８を軸にして、支持骨２０Ｂが途中で折れ曲がり、さらに、外側に開くことが可能となっている。
【００５５】  また、支持骨２０Ｂの前記開口部の先端には、帯状部材２６が取り付けられ、かつ、内側部材２０Ｕは、最大引き出し時に、その下端が外側部材２０Ｌの内周面に当接した状態となる長さに設定されているため、内側部材２０Ｕの開き角度は、外側部材２０Ｌ同士の連結部分がなす角度θ１よりも大きい所定の角度θ２に規制される（図２６の一点鎖線参照）。
【００５６】  また、図２７に示すように、帯状部材２６の内側には、内側部材２０Ｕ側に設けられた凹部２６２に嵌合する凸部２６１が設けられており、外側部材２０Ｌから内側部材２０Ｕを引き出して、傘を開いた状態にすることで、支持骨の伸縮機構を伸長状態にロックされるようになっている。なお、本実施形態では、外側部材２０Ｌの外側部材２０Ｌに貫通する溝２９を設けているが、溝２９を非貫通とし、外側から見えないようにしてもよい。また、溝を内側部材２０Ｕ側に設け、ピン等を外側部材２０Ｌに設ける構成も採用可能である。
【００５７】  本実施形態の傘を閉じると、図２８に示すように、内側部材２０Ｕの開き角度が外側部材２０Ｌの開き角度θ１とほぼ同一となるため、内側部材２０Ｕ側に設けられた凹部２６２と、帯状部材２６内側の凸部２６１との嵌合が外れ、内側部材２０Ｕを外側部材２０Ｌに収納可能な状態となる。図２９は、本発明の第６の実施形態の傘のロック機構（ロック解除状態）の断面図である。
【００５８】  以上のような第６の実施形態によれば、第４の実施形態と同様に、傘を開くだけで、２本の支持骨の伸縮機構を同時にロックすることが可能となり、ロック解除レバー２２、２２ａ、ロック解除ボタン２２ｂを操作することなしに、傘を閉じるだけでそのロックを同時に解除することが可能な構成が得られる。
【００５９】  さらに、本実施形態では、第４の実施形態との比較において、支持骨２０Ｂの素材として、アルミや鉄など弾性部材でない材料を利用できるという利点がある。また、この点においては、本実施形態は、第４の実施形態との比較において、伸縮段数を多くしたい場合に有利である。
【００６０】  また、第４の実施形態では、支持骨２０Ｂの内側部材２０Ｕと外側部材２０Ｌの曲がり具合や、端部突起の嵌め合い寸法等の素材選択や設計上の難しさがあるが、本実施形態では、そのような制約は少なくなる。端的には、本実施形態では、開口部２７の長さと、帯状部材２６の高さにより、支持骨２０Ｂの開き角度を決定できる。また、伸縮機構のロックについても、内側部材２０Ｕと外側部材２０Ｌのガタ（遊び）を利用しないため、支持骨の太さを細くできるという利点がある。この点においても、本実施形態は伸縮段数を多くしたい場合に有利である。
【００６１】  なお、上記した第６の実施形態では、内側部材２０Ｕ側に凹部２６２を設け、帯状部材２６側に凸部２６１を設けるものとして説明したが、第１〜第５の実施形態と同様に、内側部材２０Ｕ側に凸部を設け、帯状部材２６側に、前記凸部に対応する孔を設ける構成であってもよい。また、支持骨の断面も矩形状のものに限られず、楕円や長穴形状、小判形状、角丸四角形等であってもよい。
【００６２】  なお、上記した第６の実施形態では、支持骨２０に、溝（レール）２９とピン２８を設けて、内側部材２０Ｕの引き出し長（伸縮範囲）を規制するものとして説明したが、図３０に示すように、溝（レール）２９とピン２８を設けない構成も採用可能である。この場合、内側部材２０Ｕ又は外側部材２０Ｌの端部の径の太さを変えたり、凸部を設けることで、伸縮範囲を規制することもできる。
【００６３】  以上、本発明の一実施形態を説明したが、本発明の技術的範囲は、上記した各実施形態に限定されるものではなく、本発明の要旨を逸脱しない範囲で、各種の変形・置換をなしうることが可能であることはいうまでもない。例えば、上記した各実施形態では、傘本体としては、特許文献１、４に記載された中棒を省略ないし短縮したタイプの傘であるものとして説明したが、その他の形態の傘の本体部分と同等のものを用いることもできる。例えば、傘の本体部分として、一般的な畳み傘と同等のもの（但し、中棒を省略ないし短縮したタイプとする）を用いることができる。
【００６４】  また、上記した各実施形態では、支持骨の伸縮機構の段数が１段であるものとして説明したが、２段以上の段数としてもよいことはもちろんである。この場合には、ロック解除機構として、第３、第４、第６の実施形態のものを好適に適用することができる。
【００６５】  また、上記した各実施形態では、支持骨の傘本体側の部材を内側部材とし、足元側の部材を外側部材としたが、傘本体側の部材を外側部材とし、足元側の部材を内側部材とすることも可能である。
【符号の説明】
【００６６】  １０  傘本体  ２０、２０Ａ、２０Ｂ  支持骨  ２０Ｕ  内側部材  ２０Ｌ  外側部材  ２１  ピン  ２１Ａ  ロック機構  ２２、２２ａ、２２ｃ  ロック解除レバー  ２２ｂ  ロック解除ボタン  ２３  ベルト繰り出し機構  ２４  ベルト  ２５  ネックストラップ  ２５ａ  ベルト  ２６  帯状部材  ２７  開口部  ２８  ピン  ２９  レール  ５０  嵌合棒  ５１  上ろくろ（ｕｐｐｅｒ  ｒｉｎｇ）  ５２  下ろくろ（ｌｏｗｅｒ  ｒｉｎｇ）  ５３  第３のろくろ（ｔｈｉｒｄ  ｒｉｎｇ）  １０１  親骨（リブ）  １０２  受骨  １０３  補助骨  ２０１  上側部材  ２０１ａ  溝  ２１１  端部突起  ２１２  孔  ２２１ａ  取っ手  ２６１  凸部  ２６２  凹部
【図１】
2018084181.tif 000003
【図２】
2018084181.tif 000004
【図３】
2018084181.tif 000005
【図４】
2018084181.tif 000006
【図５】
2018084181.tif 000007
【図６】
2018084181.tif 000008
【図７】
2018084181.tif 000009
【図８】
2018084181.tif 000010
【図９】
2018084181.tif 000011
【図１０】
2018084181.tif 000012
【図１１】
2018084181.tif 000013
【図１２】
2018084181.tif 000014
【図１３】
2018084181.tif 000015
【図１４】
2018084181.tif 000016
【図１５】
2018084181.tif 000017
【図１６】
2018084181.tif 000018
【図１７】
2018084181.tif 000019
【図１８】
2018084181.tif 000020
【図１９】
2018084181.tif 000021
【図２０】
2018084181.tif 000022
【図２１】
2018084181.tif 000023
【図２２】
2018084181.tif 000024
【図２３】
2018084181.tif 000025
【図２４】
2018084181.tif 000026
【図２５】
2018084181.tif 000027
【図２６】
2018084181.tif 000028
【図２７】
2018084181.tif 000029
【図２８】
2018084181.tif 000030
【図２９】
2018084181.tif 000031
【図３０】
2018084181.tif 000032
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
一端を傘本体に連結し、他の一端を互いに連結した２本の支持骨を含んで構成される支持構造と、少なくとも１段以上の前記支持骨の伸縮機構と、
開傘時に、前記支持骨の伸縮機構の伸長状態を保持した状態でロック可能なロック機構と、を備えること、
を特徴とする傘であって、
前記支持骨の伸縮機構は、少なくとも１段以上の、内側部材と、前記内側部材を収納可能な外側部材とにより構成され、
前記ロック機構は、前記外側部材に設けられた孔に、前記内側部材側に設けられた凸部が嵌合することで前記内側部材が前記外側部材から露出した状態に保持するものであること、
を特徴とする傘。
【請求項２】
前記凸部を同時に非嵌合状態とすることで、前記２本の支持骨を同時に短縮可能に構成されていること、
を特徴とする請求項１の傘。
【請求項３】
前記凸部は、ばねによって前記内側部材の外周方向に付勢されたピンによって構成され、
前記外側部材の外周上を長手方向に移動可能なスライダーをスライドさせることにより、前記ピンを同時に押し込むことで、前記２本の支持骨を同時に短縮可能に構成されている請求項２の傘。
【請求項４】
前記スライダーは傘の親骨とリンク部材で連結されており、閉傘操作を行うことで、前記スライダーが、前記ピンを同時に押し込むよう構成されている請求項３の傘。
【請求項５】
前記スライダーは互いに連結されており、所定の解除動作により前記スライダーが同時にスライドすることで、前記ピンが同時に押し込まれるよう構成されている請求項３の傘。
【請求項６】
前記スライダーは当該スライダーが配置された支持骨と異なる支持骨とリンク部材で連結されており、閉傘操作を行うことで、前記スライダーが移動し、前記ピンを同時に押し込むよう構成されている請求項３の傘。
【請求項７】
前記凸部は、ばねによって前記内側部材の外周方向に付勢されたピンによって構成され、
前記ピンは、前記傘の支持骨の互いに正対する位置に配置されており、
閉傘操作の過程で接近したピン同士を、さらに閉傘操作を続けることで、同時に押し込むロック解除部材が配置されている請求項２の傘。
【請求項８】
一端を傘本体に連結し、他の一端を互いに連結した２本の支持骨を含んで構成される支持構造と、少なくとも１段以上の前記支持骨の伸縮機構と、
開傘時に、前記支持骨の伸縮機構の伸長状態を保持した状態でロック可能なロック機構と、を備える傘であって、
前記支持骨の伸縮機構は、少なくとも１段以上の、内側部材と、前記内側部材を収納可能な外側部材とにより構成され、
前記ロック機構は、前記支持骨の伸縮機構を伸ばし、かつ、傘を開いた状態にすることで、前記内側部材又は前記外側部材のうちの傘本体側の組が離間する方向に押し広げられる結果、前記内側部材と前記外側部材とに設けられた嵌合部が嵌合し、ロックされるよう構成されている傘。
【請求項９】
前記支持骨は、弾性部材によって構成され、
傘を開いた状態から閉じた状態にすることで、前記内側部材又は前記外側部材のうちの傘本体側の組を離間する方向に押し広げる力がかからなくなるとともに、内側に反り合うことにより、前記ロックが解除される請求項８の傘。
【請求項１０】
上ろくろが中空構造となっており、
前記中空の上ろくろに、嵌合棒が取り付けられた下ろくろを挿入した開傘状態から、前記嵌合棒が取り付けられた下ろくろを下方に移動させて傘を閉じることが可能であり、
複数の受骨にそれぞれ連結された補助骨群によって支持され、傘の開閉に伴う前記下ろくろの移動をガイドする第３のろくろを備えた請求項１から９いずれか一の傘。
【請求項１１】
前記支持骨の親骨との連結端側に、
傘を開閉する過程において、前記親骨を支持する受骨の移動を誘導する溝が設けられている請求項１から１０いずれか一の傘。
【請求項１２】
一端を傘本体に連結し、他の一端を互いに連結した２本の支持骨を含んで構成され、前記２本の支持骨が前記傘本体を支持する支持構造と、少なくとも１段以上の前記支持骨の伸縮機構と、
開傘時に、前記支持骨の伸縮機構の伸長状態を保持した状態でロック可能なロック機構と、を備えること、
を特徴とする傘。
【請求項１３】
一端を傘本体に連結し、他の一端を傘の開閉に応じて移動する下ろくろに連結した受骨と、
前記受骨と干渉を回避するように設けられ、一端を前記傘本体に連結し、他の一端を互いに連結した２本の支持骨と、を含んで構成される支持構造と、少なくとも１段以上の前記支持骨の伸縮機構と、
開傘時に、前記支持骨の伸縮機構の伸長状態を保持した状態でロック可能なロック機構と、を備えること、
を特徴とする傘。
【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
一端を傘本体に連結し、他の一端を互いに連結した２本の支持骨を含んで構成される支持構造と、少なくとも１段以上の前記支持骨の伸縮機構と、
開傘時に、前記支持骨の伸縮機構の伸長状態を保持した状態でロック可能なロック機構と、を備えること、
を特徴とする傘であって、
前記支持骨の伸縮機構は、少なくとも１段以上の、内側部材と、前記内側部材を収納可能な外側部材とにより構成され、
前記ロック機構は、前記外側部材に設けられた孔に、前記内側部材側に設けられた凸部が嵌合することで前記内側部材が前記外側部材から露出した状態に保持するものであること、
を特徴とする傘。
【請求項２】
前記凸部を同時に非嵌合状態とすることで、前記２本の支持骨を同時に短縮可能に構成されていること、
を特徴とする請求項１の傘。
【請求項３】
前記凸部は、ばねによって前記内側部材の外周方向に付勢されたピンによって構成され、
前記外側部材の外周上を長手方向に移動可能なスライダーをスライドさせることにより、前記ピンを同時に押し込むことで、前記２本の支持骨を同時に短縮可能に構成されている請求項２の傘。
【請求項４】
前記スライダーは傘の親骨とリンク部材で連結されており、閉傘操作を行うことで、前記スライダーが、前記ピンを同時に押し込むよう構成されている請求項３の傘。
【請求項５】
前記スライダーは互いに連結されており、所定の解除動作により前記スライダーが同時にスライドすることで、前記ピンが同時に押し込まれるよう構成されている請求項３の傘。
【請求項６】
前記スライダーは当該スライダーが配置された支持骨と異なる支持骨とリンク部材で連結されており、閉傘操作を行うことで、前記スライダーが移動し、前記ピンを同時に押し込むよう構成されている請求項３の傘。
【請求項７】
前記凸部は、ばねによって前記内側部材の外周方向に付勢されたピンによって構成され、
前記ピンは、前記傘の支持骨の互いに正対する位置に配置されており、
閉傘操作の過程で接近したピン同士を、さらに閉傘操作を続けることで、同時に押し込むロック解除部材が配置されている請求項２の傘。
【請求項８】
一端を傘本体に連結し、他の一端を互いに連結した２本の支持骨を含んで構成される支持構造と、少なくとも１段以上の前記支持骨の伸縮機構と、
開傘時に、前記支持骨の伸縮機構の伸長状態を保持した状態でロック可能なロック機構と、を備える傘であって、
前記支持骨の伸縮機構は、少なくとも１段以上の、内側部材と、前記内側部材を収納可能な外側部材とにより構成され、
前記ロック機構は、前記支持骨の伸縮機構を伸ばし、かつ、傘を開いた状態にすることで、前記内側部材又は前記外側部材のうちの傘本体側の組が離間する方向に押し広げられる結果、前記内側部材と前記外側部材とに設けられた嵌合部が嵌合し、ロックされるよう構成されている傘。
【請求項９】
前記支持骨は、弾性部材によって構成され、
傘を開いた状態から閉じた状態にすることで、前記内側部材又は前記外側部材のうちの傘本体側の組を離間する方向に押し広げる力がかからなくなるとともに、内側に反り合うことにより、前記ロックが解除される請求項８の傘。
【請求項１０】
上ろくろが中空構造となっており、
前記中空の上ろくろに、嵌合棒が取り付けられた下ろくろを挿入した開傘状態から、前記嵌合棒が取り付けられた下ろくろを下方に移動させて傘を閉じることが可能であり、
複数の受骨にそれぞれ連結された補助骨群によって支持され、傘の開閉に伴う前記下ろくろの移動をガイドする第３のろくろを備えた請求項１から９いずれか一の傘。
【請求項１１】
前記支持骨の親骨との連結端側に、
傘を開閉する過程において、前記親骨を支持する受骨の移動を誘導する溝が設けられている請求項１から１０いずれか一の傘。
【請求項１２】
一端を傘本体に連結し、他の一端を互いに直接連結した２本の支持骨を含んで構成され、前記２本の支持骨によって前記傘本体を支持する支持構造と、少なくとも１段以上の前記支持骨の伸縮機構と、
開傘時に、前記支持骨の伸縮機構の伸長状態を保持した状態でロック可能なロック機構と、を備えること、
を特徴とする傘。
【請求項１３】
一端を傘本体の親骨に連結し、他の一端を傘の開閉に応じて移動する下ろくろに連結した受骨と、
前記傘の開閉に応じて上下動する受骨の移動をガイドする溝が設けられ、一端を前記傘本体の前記親骨の１つに連結し、他の一端を互いに連結した２本の支持骨と、を含んで構成される支持構造と、少なくとも１段以上の前記支持骨の伸縮機構と、
開傘時に、前記支持骨の伸縮機構の伸長状態を保持した状態でロック可能なロック機構と、を備えること、
を特徴とする傘。
【国際調査報告】
2018084181.tif 000033
2018084181.tif 000034
2018084181.tif 000035